(57)【要約】【課題】システム容量の低下を抑えること。【解決手段】下り総送信電力に上限がある基地局１０は、監視部１５と、通信制御部１４とを有する。監視部１５は、基地局１０からの下り総送信電力を監視する。通信制御部１４は、基地局１０からの下り総送信電力が閾値以上であるときに、第一ユーザ端末宛てのデータの送信先を、第一ユーザ端末から第二ユーザ端末へ切り替える。第二ユーザ端末は、基地局１０を介さずに第一ユーザ端末と直接通信することが可能であり、かつ、基地局１０からの下り送信電力が第一ユーザ端末への第一下り送信電力より小さい第二下り送信電力であるユーザ端末である。【選択図】図４
2016111679.tif 000002
【特許請求の範囲】
【請求項１】
下り総送信電力に上限がある基地局であって、
前記下り総送信電力を監視する監視部と、
前記下り総送信電力が閾値以上であるときに、第一ユーザ端末宛てのデータの送信先を、前記第一ユーザ端末から、前記基地局を介さずに前記第一ユーザ端末と直接通信することが可能であり、かつ、前記基地局からの下り送信電力が前記第一ユーザ端末への第一下り送信電力より小さい第二下り送信電力である第二ユーザ端末へ切り替える制御部と、
を具備する基地局。
【請求項２】
前記制御部は、前記基地局からの下り送信電力が閾値以上のユーザ端末を前記第一ユーザ端末として選択する、
請求項１に記載の基地局。
【請求項３】
前記制御部は、移動速度が閾値未満のユーザ端末を前記第一ユーザ端末として選択する、
請求項１に記載の基地局。
【請求項４】
前記制御部は、トラヒック量が閾値未満のユーザ端末を前記第二ユーザ端末として選択する、
請求項１に記載の基地局。
【請求項５】
前記制御部は、通信終了からの経過時間が閾値未満のユーザ端末を前記第二ユーザ端末として選択する、
請求項１に記載の基地局。
【請求項６】
前記制御部は、移動速度が閾値未満のユーザ端末を前記第二ユーザ端末として選択する、
請求項１に記載の基地局。
【請求項７】
前記制御部は、静止端末を前記第二ユーザ端末として選択する、
請求項１に記載の基地局。
【請求項８】
前記制御部は、前記第二ユーザ端末がアイドル状態であるときは、前記第二ユーザ端末へページング信号を送信して前記基地局と前記第二ユーザ端末との通信を開始する、
請求項１に記載の基地局。
【請求項９】
前記制御部は、前記第一ユーザ端末に加えて、さらに、前記第二ユーザ端末と通信可能な第三ユーザ端末宛てのデータの送信先を、前記第三ユーザ端末から前記第二ユーザ端末へ切り替える、
請求項１に記載の基地局。
【請求項１０】
下り総送信電力に上限がある基地局と、第一ユーザ端末と、前記基地局を介さずに前記第一ユーザ端末と直接通信することが可能な第二ユーザ端末とを具備する通信システムであって、
前記基地局は、前記下り総送信電力を監視し、
前記下り総送信電力が閾値以上であるときに、前記基地局からの下り送信電力が前記第一ユーザ端末への第一下り送信電力より小さい第二下り送信電力である前記第二ユーザ端末が、前記基地局から前記第一ユーザ端末宛てのデータを中継して前記第一ユーザ端末へ送信する、
通信システム。
【請求項１１】
第一基地局と、
前記第一基地局に隣接する第二基地局と、
前記第一基地局が形成する第一セルに位置する第一ユーザ端末と、
前記第二基地局が形成する第二セルに位置し、かつ、前記第一基地局を介さずに前記第一ユーザ端末と直接通信することが可能な第二ユーザ端末と、を具備し、
前記第一基地局から前記第一ユーザ端末への下り送信電力が閾値以上であるときに、前記第二基地局が、前記第一ユーザ端末宛ての第一データを前記第二ユーザ端末へ送信し、
前記第一基地局から前記第一ユーザ端末への前記下り送信電力が前記閾値以上であるときに、前記第二ユーザ端末が、前記第二基地局から受信した前記第一データを中継して前記第一ユーザ端末へ送信する、
通信システム。
【請求項１２】
前記第一基地局から前記第一ユーザ端末への前記下り送信電力が前記閾値以上であるときに、前記第一基地局は、前記第一ユーザ端末への前記第一データの送信を中止する、
請求項１１に記載の通信システム。
【請求項１３】
前記第一基地局または前記第二基地局は、トラヒック量が閾値未満のユーザ端末を前記第二ユーザ端末として選択する、
請求項１１に記載の通信システム。
【請求項１４】
前記第一基地局または前記第二基地局は、通信終了からの経過時間が閾値未満のユーザ端末を前記第二ユーザ端末として選択する、
請求項１１に記載の通信システム。
【請求項１５】
前記第一基地局または前記第二基地局は、移動速度が閾値未満のユーザ端末を前記第二ユーザ端末として選択する、
請求項１１に記載の通信システム。
【請求項１６】
前記第一基地局または前記第二基地局は、静止端末を前記第二ユーザ端末として選択する、
請求項１１に記載の通信システム。
【請求項１７】
前記第二基地局は、前記第二ユーザ端末がアイドル状態であるときは、前記第二ユーザ端末へページング信号を送信して前記第二基地局と前記第二ユーザ端末との通信を開始する、
請求項１１に記載の通信システム。
【請求項１８】
第一基地局と、
前記第一基地局に隣接する第二基地局と、
前記第一基地局が形成する第一セルに位置する第一ユーザ端末と、
前記第二基地局が形成する第二セルに位置し、かつ、前記第一基地局を介さずに前記第一ユーザ端末と直接通信することが可能な第二ユーザ端末と、
前記第一基地局と接続された第一管理装置と、
前記第二基地局と接続された第二管理装置と、を具備し、
前記第一基地局と前記第一管理装置との間の通信が不通であるときに、前記第二基地局が、前記第一ユーザ端末宛ての第一データを前記第二管理装置から受信して前記第二ユーザ端末へ送信し、
前記第一基地局と前記第一管理装置との間の前記通信が不通であるときに、前記第二ユーザ端末が、前記第二基地局から受信した前記第一データを中継して前記第一ユーザ端末へ送信する、
通信システム。
【請求項１９】
下り総送信電力に上限がある基地局における前記下り総送信電力を監視し、
前記下り総送信電力が閾値以上であるときに、前記基地局から第一ユーザ端末宛てのデータを、前記基地局を介さずに前記第一ユーザ端末と直接通信することが可能であり、かつ、前記基地局からの下り送信電力が前記第一ユーザ端末への第一下り送信電力より小さい第二下り送信電力である第二ユーザ端末を中継して前記第一ユーザ端末へ送信する、
通信制御方法。
【発明の詳細な説明】
【技術分野】
【０００１】
本発明は、基地局、通信システム及び通信制御方法に関する。
【背景技術】
【０００２】
近年、携帯電話システムの一つであるセルラシステム等の無線通信システムにおいて、無線通信の更なる高速化・大容量化等を図るため、次世代の無線通信技術についての検討が行われている。例えば、標準化団体である３ＧＰＰ（3rd  Generation  Partnership  Project）では、「ＬＴＥ（Long  Term  Evolution）」と呼ばれる通信規格が策定されている。また、３ＧＰＰでは、ＬＴＥの策定に続けて、ＬＴＥの無線通信技術をベースとして、更なる性能向上を図るために、「ＬＴＥ−Ａ（LTE-Advanced）」と呼ばれる通信規格についての検討が行われている。
【０００３】
今後ＬＴＥ−Ａに導入される可能性があり、かつ、現在、基本的な技術検討が３ＧＰＰにおいて行われている通信技術の一つに、「Ｄ２Ｄ（Device  to  Device）通信」と呼ばれるユーザ端末間直接通信がある。従来のセルラ通信では、互いに近接するユーザ端末同士であっても基地局を介して通信を行うのに対し、Ｄ２Ｄ通信では、互いに近接するユーザ端末同士が基地局を介さずに直接通信を行う。Ｄ２Ｄ通信が可能になることで、例えば、災害発生時等において基地局の機能が停止して基地局を介した通信が行えなくなった場合でも、ユーザ端末同士で通信を行うことが可能となる。
【０００４】
また、セルラ通信及びＤ２Ｄ通信の双方を行うことが可能なユーザ端末の導入も検討されている。以下では、セルラ通信及びＤ２Ｄ通信の双方が可能なユーザ端末を「Ｄ２Ｄ端末」と呼び、セルラ通信だけが可能なユーザ端末を「セルラ端末」と呼ぶことがある。
【先行技術文献】
【特許文献】
【０００５】
【特許文献１】特開２０１２−２４９３１７号公報
【特許文献２】特開２００８−２８９０４５号公報
【特許文献３】特開２００６−０１３８１１号公報
【特許文献４】特開２００７−２５１７１２号公報
【特許文献５】特開平０７−０５９１４４号公報
【特許文献６】特開２００５−３４１３００号公報
【非特許文献】
【０００６】
【非特許文献１】3GPP  TS  36.300（12.1.0)
【非特許文献２】3GPP  TR  36.843
【発明の概要】
【発明が解決しようとする課題】
【０００７】
基地局は、自局が形成するセル内に位置する多数のユーザ端末と同時に通信する。
【０００８】
基地局は、一般に、セル端付近に位置するユーザ端末に対しては、所望の通信品質を維持するために、セル中心付近に位置するユーザ端末よりも大きい下り送信電力でデータを送信する。また、基地局は、例えば、ビル陰または地下等の電波が届きにくい場所に位置するユーザ端末に対しては、所望の通信品質を維持するために、電波が届きやすい場所に位置するユーザ端末よりも大きい下り送信電力でデータを送信する。
【０００９】
一方で、１つの基地局から複数のユーザ端末に対して同時に使用可能な下り送信電力の総量（以下では「下り総送信電力」と呼ぶことがある）には上限がある。
【００１０】
よって、セル端付近または電波が届きにくい場所に位置するユーザ端末等、基地局から大きな下り送信電力でデータを送信されるユーザ端末が増加すると、１つの基地局と同時に通信可能なユーザ端末数、つまり、１セル内に同時に収容可能なユーザ端末数が減少する。つまり、基地局から大きな下り送信電力でデータを送信されるユーザ端末が増加すると、無線通信システムにおける伝送容量（つまり、システム容量）が低下する。
【００１１】
開示の技術は、上記に鑑みてなされたものであって、システム容量の低下を抑えることを目的とする。
【課題を解決するための手段】
【００１２】
開示の態様では、下り総送信電力に上限がある基地局が、監視部と、制御部とを有する。前記監視部は、前記下り総送信電力を監視する。前記制御部は、前記下り総送信電力が閾値以上であるときに、第一ユーザ端末宛てのデータの送信先を、前記第一ユーザ端末から、前記基地局を介さずに前記第一ユーザ端末と直接通信することが可能であり、かつ、前記基地局からの下り送信電力が前記第一ユーザ端末への第一下り送信電力より小さい第二下り送信電力である第二ユーザ端末へ切り替える。
【発明の効果】
【００１３】
開示の態様によれば、システム容量の低下を抑えることができる。
【図面の簡単な説明】
【００１４】
【図１】図１は、実施例１の通信システムの一例を示す図である。
【図２】図２は、実施例１の通信システムの一例を示す図である。
【図３】図３は、実施例１の通信システムの一例を示す図である。
【図４】図４は、実施例１の基地局の一例を示す機能ブロック図である。
【図５】図５は、実施例１のユーザ端末の一例を示す機能ブロック図である。
【図６】図６は、実施例１の基地局の処理の説明に供するフローチャートである。
【図７】図７は、実施例１の通信システムの処理シーケンスの一例を示す図である。
【図８】図８は、実施例１の通信システムの処理シーケンスの一例を示す図である。
【図９】図９は、実施例１の被中継端末選択処理の説明に供するフローチャートである。
【図１０】図１０は、実施例１の中継端末選択処理の説明に供するフローチャートである。
【図１１】図１１は、実施例１の選択処理の具体例の説明に供する図である。
【図１２】図１２は、実施例１の選択処理の具体例の説明に供する図である。
【図１３】図１３は、実施例１の選択処理の具体例の説明に供する図である。
【図１４】図１４は、実施例１の選択処理の具体例の説明に供する図である。
【図１５】図１５は、実施例２の通信システムの一例を示す図である。
【図１６】図１６は、実施例２の基地局の処理の説明に供するフローチャートである。
【図１７】図１７は、実施例２の基地局の処理の説明に供するフローチャートである。
【図１８】図１８は、実施例２の追加被中継端末選択処理の説明に供するフローチャートである。
【図１９】図１９は、実施例２の選択処理の具体例の説明に供する図である。
【図２０】図２０は、実施例２の選択処理の具体例の説明に供する図である。
【図２１】図２１は、実施例３の通信システムの一例を示す図である。
【図２２】図２２は、実施例３の通信システムの一例を示す図である。
【図２３】図２３は、実施例３の通信システムの処理シーケンスの一例を示す図である。
【図２４】図２４は、実施例３の選択処理の具体例の説明に供する図である。
【図２５】図２５は、実施例３の選択処理の具体例の説明に供する図である。
【図２６】図２６は、実施例４の通信システムの処理シーケンスの一例を示す図である。
【図２７】図２７は、実施例５の通信システムの一例を示す図である。
【図２８】図２８は、実施例５の通信システムの一例を示す図である。
【図２９】図２９は、実施例５の通信システムの処理シーケンスの一例を示す図である。
【図３０】図３０は、実施例５の選択処理の具体例の説明に供する図である。
【図３１】図３１は、実施例６の通信システムの処理シーケンスの一例を示す図である。
【図３２】図３２は、基地局のハードウェア構成例を示す図である。
【図３３】図３３は、ユーザ端末のハードウェア構成例を示す図である。
【発明を実施するための形態】
【００１５】
以下に、本願の開示する基地局、通信システム及び通信制御方法の実施例を図面に基づいて説明する。なお、この実施例により本願の開示する基地局、通信システム及び通信制御方法が限定されるものではない。また、各実施例において同一の機能を有する構成、及び、同一の処理を行うステップには同一の符号を付し、重複する説明を省略する。
【００１６】
［実施例１］
＜通信システムの構成＞
図１は、実施例１の通信システムの一例を示す図である。図１において、通信システム１は、基地局１０と、ユーザ端末２０−１〜２０−５と、ユーザ端末３０−１，３０−２とを有する。ユーザ端末２０−１〜２０−５はＤ２Ｄ端末であり、ユーザ端末３０−１，３０−２はセルラ端末である。基地局１０はセルＣ１を形成し、ユーザ端末２０−１〜２０−５及びユーザ端末３０−１，３０−２はセルＣ１内に位置する。よって、図１において、基地局１０は、ユーザ端末２０−１〜２０−５、ユーザ端末３０−１，３０−２の各々へ、セルラ通信によって、同時に直接、データＤ１〜Ｄ７を送信する。
【００１７】
以下では、ユーザ端末２０−１〜２０−５を区別しない場合には「ユーザ端末２０」と総称し、ユーザ端末３０−１，３０−２を区別しない場合には「ユーザ端末３０」と総称することがある。さらに、ユーザ端末２０−１〜２０−５及びユーザ端末３０−１，３０−２を区別しない場合には、単に「ユーザ端末」と呼ぶことがある。
【００１８】
基地局１０からの下り総送信電力には上限がある。そこで、図１に示す状態において、基地局１０は、基地局１０からの下り総送信電力を常時監視し、下り総送信電力が閾値ＴＨ１以上であるか否かを判断する。閾値ＴＨ１は、下り総送信電力の上限値未満の値であり、例えば、「下り総送信電力の上限値×０.８」の値に設定される。基地局１０の下り総送信電力が閾値ＴＨ１未満であるときは、通信システム１は、図１に示す状態を継続する。
【００１９】
一方で、基地局１０の下り総送信電力が閾値ＴＨ１以上であるときは、通信システム１は、図１に示す状態から、例えば図２に示す状態に移行する。図２は、実施例１の通信システムの一例を示す図である。すなわち、図２では、ユーザ端末２０−１宛てのデータＤ１の送信先がユーザ端末２０−１からユーザ端末２０−２に切り替えられ、ユーザ端末２０−１宛てのデータＤ１は、ユーザ端末２０−２を中継してユーザ端末２０−１へ送信される。ここで、ユーザ端末２０−２は、ユーザ端末２０−１に近接するため、ユーザ端末２０−１とＤ２Ｄ通信が可能である。また、基地局１０からユーザ端末２０−２への下り送信電力は、基地局１０からユーザ端末２０−１への下り送信電力より小さい。よって、通信システム１が図１に示す状態から図２に示す状態に移行することにより、基地局１０からユーザ端末２０−１への送信が不要になり、基地局１０からの下り総送信電力が、ユーザ端末２０−１への下り送信電力分だけ減少する。
【００２０】
また、ユーザ端末２０−１宛てのデータＤ１の送信先をユーザ端末２０−１からユーザ端末２０−２に切り替えても、未だ基地局１０の下り総送信電力が閾値ＴＨ１以上であるときは、通信システム１は、図２に示す状態から、例えば図３に示す状態にさらに移行する。図３は、実施例１の通信システムの一例を示す図である。すなわち、図３では、図２に示す状態から、さらに、ユーザ端末２０−２宛てのデータＤ２の送信先がユーザ端末２０−２からユーザ端末２０−３に切り替えられ、ユーザ端末２０−２宛てのデータＤ２は、ユーザ端末２０−３を中継してユーザ端末２０−２へ送信される。ここで、ユーザ端末２０−３は、ユーザ端末２０−２に近接するため、ユーザ端末２０−２とＤ２Ｄ通信が可能である。また、基地局１０からユーザ端末２０−３への下り送信電力は、基地局１０からユーザ端末２０−２への下り送信電力より小さい。よって、通信システム１が図２に示す状態から図３に示す状態に移行することにより、基地局１０からユーザ端末２０−２への送信がさらに不要になり、基地局１０からの下り総送信電力が、ユーザ端末２０−２への下り送信電力分だけさらに減少する。通信システム１が図２に示す状態から図３に示す状態に移行した結果、基地局１０の下り総送信電力が閾値ＴＨ１未満となって閾値ＴＨ１未満に維持されている間は、通信システム１は、図３に示す状態を継続する。
【００２１】
＜基地局の構成＞
図４は、実施例１の基地局の一例を示す機能ブロック図である。図４において、基地局１０は、アンテナ１１と、無線通信部１２と、ＢＢ（Base  Band）処理部１３と、通信制御部１４と、監視部１５と、情報記憶部１６と、ネットワークインタフェース部１７とを有する。
【００２２】
ネットワークインタフェース部１７は、コアネットワーク（図示せず）及び他の基地局と接続されている。ネットワークインタフェース部１７は、通信制御部１４から入力されるデータ及び制御メッセージをコアネットワークまたは他の基地局に送信し、コアネットワークまたは他の基地局から受信したデータ及び制御メッセージを通信制御部１４に出力する。
【００２３】
通信制御部１４は、各種の制御メッセージを形成してＢＢ処理部１３またはネットワークインタフェース部１７に出力する。この際、通信制御部１４は、情報記憶部１６に記憶されている各種の情報、及び、監視部１５での監視結果に基づいて、制御メッセージを形成する。また、通信制御部１４は、ＢＢ処理部１３から入力されるデータ及び制御メッセージをネットワークインタフェース部１７に出力し、ネットワークインタフェース部１７から入力されるデータ及び制御メッセージをＢＢ処理部１３に出力する。
【００２４】
ＢＢ処理部１３は、通信制御部１４から入力される制御メッセージ及びデータに対して符号化処理及び変調処理等のＢＢ処理を行ってベースバンドの送信信号を生成し、生成した送信信号を無線通信部１２に出力する。また、ＢＢ処理部１３は、無線通信部１２から入力されるベースバンドの受信信号に対し復調処理及び復号処理等のＢＢ処理を行って制御メッセージ及びデータを得て通信制御部１４に出力する。
【００２５】
無線通信部１２は、ＢＢ処理部１３から入力されるベースバンドの送信信号に対し、デジタル−アナログ変換処理及びアップコンバート処理等を行い、アップコンバート後の送信信号をアンテナ１１を介してユーザ端末に送信する。送信信号には、複数のユーザ端末宛てのデータが多重されることがある。例えば、図２に示す状態では、ユーザ端末２０−２への送信信号には、ユーザ端末２０−１宛てのデータＤ１と、ユーザ端末２０−２宛てのデータＤ２とが多重されている。また例えば、図３に示す状態では、ユーザ端末２０−３への送信信号には、ユーザ端末２０−１宛てのデータＤ１と、ユーザ端末２０−２宛てのデータＤ２と、ユーザ端末２０−３宛てのデータＤ３とが多重されている。また、無線通信部１２は、アンテナ１１を介して受信した受信信号に対し、ダウンコンバート処理及びアナログ−デジタル変換処理等を行ってベースバンドの受信信号を得てＢＢ処理部１３に出力する。
【００２６】
＜ユーザ端末の構成＞
図５は、実施例１のユーザ端末の一例を示す機能ブロック図である。図５において、ユーザ端末２０は、アンテナ２１１，２２１と、セルラ通信部２１と、Ｄ２Ｄ通信部２２と、通信制御部２３とを有する。セルラ通信部２１は、無線通信部２１２と、ＢＢ処理部２１３とを有する。Ｄ２Ｄ通信部２２は、無線通信部２２２と、ＢＢ処理部２２３とを有する。ユーザ端末２０は、Ｄ２Ｄ端末である。
【００２７】
セルラ通信部２１において、ＢＢ処理部２１３は、通信制御部２３から入力される制御メッセージ及びデータに対して符号化処理及び変調処理等のＢＢ処理を行ってベースバンドの送信信号を生成し、生成した送信信号を無線通信部２１２に出力する。また、ＢＢ処理部２１３は、無線通信部２１２から入力されるベースバンドの受信信号に対し復調処理及び復号処理等のＢＢ処理を行って制御メッセージ及びデータを得て通信制御部２３に出力する。
【００２８】
無線通信部２１２は、ＢＢ処理部２１３から入力されるベースバンドの送信信号に対し、デジタル−アナログ変換処理及びアップコンバート処理等を行い、アップコンバート後の送信信号をセルラ通信用の所定のチャネルを用いて、アンテナ２１１を介して基地局１０に送信する。また、無線通信部２１２は、セルラ通信用の所定のチャネルを用いて基地局１０からアンテナ２１１を介して受信した受信信号に対し、ダウンコンバート処理及びアナログ−デジタル変換処理等を行ってベースバンドの受信信号を得てＢＢ処理部２１３に出力する。
【００２９】
Ｄ２Ｄ通信部２２において、ＢＢ処理部２２３は、通信制御部２３から入力される制御メッセージ及びデータに対して符号化処理及び変調処理等のＢＢ処理を行ってベースバンドの送信信号を生成し、生成した送信信号を無線通信部２２２に出力する。また、ＢＢ処理部２２３は、無線通信部２２２から入力されるベースバンドの受信信号に対し復調処理及び復号処理等のＢＢ処理を行って制御メッセージ及びデータを得て通信制御部２３に出力する。
【００３０】
無線通信部２２２は、ＢＢ処理部２２３から入力されるベースバンドの送信信号に対し、デジタル−アナログ変換処理及びアップコンバート処理等を行い、アップコンバート後の送信信号をＤ２Ｄ通信用の所定のチャネルを用いて、アンテナ２２１を介して他のユーザ端末に送信する。また、無線通信部２２２は、Ｄ２Ｄ通信用の所定のチャネルを用いて他のユーザ端末からアンテナ２２１を介して受信した受信信号に対し、ダウンコンバート処理及びアナログ−デジタル変換処理等を行ってベースバンドの受信信号を得てＢＢ処理部２２３に出力する。
【００３１】
通信制御部２３は、各種の制御メッセージを形成してＢＢ処理部２１３またはＢＢ処理部２２３に出力する。また、通信制御部２３は、データをＢＢ処理部２１３またはＢＢ処理部２２３に出力する。また、通信制御部２３は、ＢＢ処理部２１３またはＢＢ処理部２２３から入力されるデータのうち自端末宛てのデータを取得する。
【００３２】
例えば、図２に示す状態では、ユーザ端末２０−２において、通信制御部２３にはＢＢ処理部２１３からデータＤ１及びＤ２が入力される。ユーザ端末２０−２の通信制御部２３は、データＤ１及びＤ２のうち、自端末宛てのデータＤ２を取得する一方で、ユーザ端末２０−１宛てのデータＤ１をＢＢ処理部２２３に出力する。これにより、ユーザ端末２０−１宛てのデータＤ１は、ユーザ端末２０−２によって中継送信される。
【００３３】
また例えば、図３に示す状態では、ユーザ端末２０−３において、通信制御部２３にはＢＢ処理部２１３からデータＤ１、Ｄ２及びＤ３が入力される。ユーザ端末２０−３の通信制御部２３は、データＤ１、Ｄ２及びＤ３のうち、自端末宛てのデータＤ３を取得する一方で、通信制御部２３は、ユーザ端末２０−１宛てのデータＤ１及びユーザ端末２０−２宛てのデータＤ２をＢＢ処理部２２３に出力する。これにより、ユーザ端末２０−１宛てのデータＤ１及びユーザ端末２０−２宛てのデータＤ２は、ユーザ端末２０−３によって中継送信される。
【００３４】
＜基地局の処理＞
図６は、実施例１の基地局の処理の説明に供するフローチャートである。図６に示すフローチャートは、基地局１０が新たなユーザ端末と通信を開始したとき、または、所定の周期で開始される。
【００３５】
図６において、まず、通信制御部１４は、基地局１０からの下り総送信電力が閾値ＴＨ１以上であるか否かを判断する（ステップＳ１０１）。基地局１０からの下り総送信電力は、監視部１５によって常時監視されている。
【００３６】
基地局１０からの下り総送信電力が閾値ＴＨ１未満であるときは（ステップＳ１０１：Ｎｏ）、処理は終了する。
【００３７】
一方で、基地局１０からの下り総送信電力が閾値ＴＨ１以上であるとき（ステップＳ１０１：Ｙｅｓ）、通信制御部１４は、「被中継端末」を選択する（ステップＳ１０３）。ここで、「被中継端末」とは、自端末宛てのデータを他のユーザ端末によってＤ２Ｄ通信を用いて中継送信されるユーザ端末である。例えば、図２に示す状態では、ユーザ端末２０−１が被中継端末に該当する。被中継端末の選択処理の詳細は後述する。
【００３８】
次いで、通信制御部１４は、「中継端末」を選択する（ステップＳ１０５）。ここで、「中継端末」とは、他のユーザ端末宛てのデータをＤ２Ｄ通信を用いて中継送信するユーザ端末である。例えば、図２に示す状態では、ユーザ端末２０−２が中継端末に該当する。中継端末の選択処理の詳細は後述する。
【００３９】
次いで、通信制御部１４は、中継端末がアイドル状態であるか否かを判断する（ステップＳ１０７）。
【００４０】
中継端末がアイドル状態であるとき（ステップＳ１０７：Ｙｅｓ）、通信制御部１４は、中継端末とのセルラ通信を開始する（ステップＳ１０９）。基地局１０と中継端末とのセルラ通信は、例えば図７に従って開始される。図７は、実施例１の通信システムの処理シーケンスの一例を示す図である。図７において、基地局１０は、中継端末にページング信号を送信する（ステップＳ１１）。ページング信号を受信した中継端末は、呼接続要求信号を基地局１０に送信する（ステップＳ１２）。これにより、基地局１０と中継端末との間のセルラ通信が確立されて開始される（ステップＳ１３）。
【００４１】
一方で、中継端末がアイドル状態でないとき（ステップＳ１０７：Ｎｏ）、つまり、中継端末とのセルラ通信が既に開始されているときは、ステップＳ１０９の処理は行われず、処理はステップＳ１１１へ進む。
【００４２】
次いで、通信制御部１４は、被中継端末への下り送信電力が中継端末への下り送信電力より大きいか否かを判断する（ステップＳ１１１）。各ユーザ端末への下り総送信電力は、監視部１５によって常時監視されている。被中継端末への下り送信電力が中継端末への下り送信電力より大きいときは（ステップＳ１１１：Ｙｅｓ）、処理はステップＳ１１３へ進む。一方で、被中継端末への下り送信電力が中継端末への下り送信電力以下のときは（ステップＳ１１１：Ｎｏ）、処理はステップＳ１１７へ進む。
【００４３】
ステップＳ１１７では、通信制御部１４は、中継端末がアイドル状態からセルラ通信を開始したか否かを判断する。つまり、ステップＳ１１７では、ステップＳ１０９の処理が行われたか否かが判断される。ステップＳ１０９の処理が行われていた場合（ステップＳ１１７：Ｙｅｓ）、通信制御部１４は、基地局１０と中継端末との間の無線リンクを解放する（ステップＳ１１９）。一方で、ステップＳ１０９の処理が行われていなかった場合（ステップＳ１１７：Ｎｏ）、ステップＳ１１７の処理は行われず、処理はステップＳ１２３へ進む。
【００４４】
また、ステップＳ１１３では、通信制御部１４は被中継端末及び中継端末に対してＤ２Ｄ通信の開始を指示する。これにより、被中継端末と中継端末との間でのＤ２Ｄ通信が開始される。被中継端末と中継端末とのＤ２Ｄ通信は、例えば図８に従って開始される。図８は、実施例１の通信システムの処理シーケンスの一例を示す図である。図８において、基地局１０は、Ｄ２Ｄ信号の送信を中継端末に指示する（ステップＳ２１）。ステップＳ２１での指示に応じて、中継端末は、中継端末の端末ＩＤを含むＤ２Ｄ信号を被中継端末に送信する（ステップＳ２２）。また、基地局１０は、中継端末とのＤ２Ｄ通信の接続を被中継端末に指示する（ステップＳ２３）。ステップＳ２３での指示に応じて、被中継端末は、Ｄ２Ｄ信号に含まれていた端末ＩＤに従って、中継端末とのＤ２Ｄ通信を確立する（ステップＳ２４）。これにより、中継端末と被中継端末との間のＤ２Ｄ通信が開始される。次いで、中継端末は、Ｄ２Ｄ接続完了通知を基地局１０に送信する（ステップＳ２５）。
【００４５】
次いで、通信制御部１４は、基地局１０と被中継端末との間の無線リンクを解放する（ステップＳ１１５）。
【００４６】
次いで、通信制御部１４は、基地局１０からの下り総送信電力が閾値ＴＨ１以上であるか否かを判断する（ステップＳ１２１）。
【００４７】
基地局１０からの下り総送信電力が閾値ＴＨ１未満であるときは（ステップＳ１２１：Ｎｏ）、処理は終了する。
【００４８】
一方で、基地局１０からの下り総送信電力が閾値ＴＨ１以上であるときは（ステップＳ１２１：Ｙｅｓ）、処理はステップＳ１２３へ進む。
【００４９】
ステップＳ１２３では、通信制御部１４は、被中継端末として選択可能なユーザ端末が存在するか否か、つまり、被中継端末の選択候補が残っているか否かを判断する（ステップＳ１２３）。被中継端末として選択可能なユーザ端末が存在しない場合、つまり、被中継端末の選択候補が残っていない場合（ステップＳ１２３：Ｎｏ）、処理は終了する。
【００５０】
一方で、被中継端末として選択可能ユーザ端末が存在する場合、つまり、被中継端末の選択候補が残っている場合（ステップＳ１２３：Ｙｅｓ）、通信制御部１４は、次候補の被中継端末を選択する（ステップＳ１２５）。ステップＳ１２５の処理後、処理はステップＳ１０５に戻り、再びステップＳ１０５からの処理が繰り返される。
【００５１】
＜被中継端末の選択処理＞
図９は、実施例１の被中継端末選択処理の説明に供するフローチャートである。
【００５２】
通信制御部１４は、ループ１の条件下で、ステップＳ２０１〜Ｓ２０９の処理を繰り返す。すなわち、通信制御部１４は、被中継端末として選択していなかったすべてのユーザ端末についてステップＳ２０１〜Ｓ２０９の処理を繰り返す（ループ１）。
【００５３】
まず、通信制御部１４は、被中継端末の候補とするユーザ端末（以下では「被中継候補端末」と呼ぶことがある）が基地局１０と通信中か否か（つまり、アイドル状態でないか否か）を判断する（ステップＳ２０１）。監視部１５は、セルＣ１内に位置する全ユーザ端末の通信状態を監視して通信状態を示す各種の情報を取得しており、監視部１５で取得された各種の情報が通信制御部１４に入力される。各ユーザ端末の通信状態を示す情報としては、通信開始時刻、通信終了時刻、基地局１０からの下り送信電力、通信開始時の位置、通信終了時の位置、通信中のトラヒック量、移動速度等がある。通信制御部１４は、例えば、通信開始時刻と、通信開始時刻後の通信終了時刻とのうち、両者が取得されている場合には通信中でないと判断し、通信開始時刻だけが取得されている場合には通信中であると判断する。被中継候補端末が通信中でない場合は（ステップＳ２０１：Ｎｏ）、次の被中継候補端末についてループ１が実行される。
【００５４】
一方で、被中継候補端末が通信中である場合は（ステップＳ２０１：Ｙｅｓ）、通信制御部１４は、被中継候補端末への下り送信電力が閾値ＴＨ２以上であるか否かを判断する（ステップＳ２０３）。被中継候補端末への下り送信電力が閾値ＴＨ２未満である場合は（ステップＳ２０３：Ｎｏ）、次の被中継候補端末についてループ１が実行される。
【００５５】
一方で、被中継候補端末への下り送信電力が閾値ＴＨ２以上である場合は（ステップＳ２０３：Ｙｅｓ）、通信制御部１４は、被中継候補端末の移動速度が閾値ＴＨ３未満であるか否かを判断する（ステップＳ２０５）。被中継候補端末の移動速度が閾値ＴＨ３以上である場合は（ステップＳ２０５：Ｎｏ）、次の被中継候補端末についてループ１が実行される。
【００５６】
一方で、被中継候補端末の移動速度が閾値ＴＨ３未満である場合は（ステップＳ２０５：Ｙｅｓ）、通信制御部１４は、被中継候補端末がＤ２Ｄ端末であるか否かを判断する（ステップＳ２０７）。各ユーザ端末についてＤ２Ｄ端末であるか否かを示す情報は、通信事業者等によって予め情報記憶部１６に記憶されている。被中継候補端末がＤ２Ｄ端末でない場合、つまり、セルラ端末である場合は（ステップＳ２０７：Ｎｏ）、次の被中継候補端末についてループ１が実行される。
【００５７】
一方で、被中継候補端末がＤ２Ｄ端末である場合は（ステップＳ２０７：Ｙｅｓ）、通信制御部１４は、ステップＳ２０１〜Ｓ２０７の条件を満たす各被中継候補端末を、下り送信電力が大きい順にソートする（ステップＳ２０９）。ソート後、次の被中継候補端末についてループ１が実行される。
【００５８】
通信制御部１４は、ループ１の繰り返し処理を抜けると、ステップＳ２０９でのソート結果のリスト、つまり、被中継端末が候補順にソートされたリスト（以下では「被中継端末候補リスト」と呼ぶことがある）を作成する（ステップＳ２１１）。また、通信制御部１４は、ステップＳ２０９でのソート順がトップのユーザ端末、つまり、ステップＳ２０１〜Ｓ２０７のすべての条件を満たし、かつ、下り送信電力が最大のユーザ端末を、被中継端末として選択する（ステップＳ２１３）。ステップＳ２１３の処理後、処理はステップＳ１０５（図６）へ進む。
【００５９】
なお、図９におけるステップＳ２０３及びＳ２０５の２つの条件判断のうち、何れか一方だけを採用してもよい。何れの条件判断を採用するかは、例えば通信事業者等によって決定される。
【００６０】
＜中継端末の選択処理＞
図１０は、実施例１の中継端末選択処理の説明に供するフローチャートである。
【００６１】
通信制御部１４は、ループ２の条件下で、ステップＳ３０１〜Ｓ３１３の処理を繰り返す。すなわち、通信制御部１４は、被中継端末以外のすべてのユーザ端末についてステップＳ３０１〜Ｓ３１３の処理を繰り返す（ループ２）。
【００６２】
まず、通信制御部１４は、中継端末の候補とするユーザ端末（以下では「中継候補端末」と呼ぶことがある）と、ステップＳ１０３（図６）で選択された被中継端末との距離が閾値ＴＨ４未満であるか否かを判断する（ステップＳ３０１）。閾値ＴＨ４は、Ｄ２Ｄ端末間でＤ２Ｄ通信が可能な距離の上限値に設定される。つまり、ステップＳ３０１では、中継候補端末が被中継端末と通信可能な範囲に位置するか否かが判断される。中継候補端末と被中継端末との距離が閾値ＴＨ４以上である場合は（ステップＳ３０１：Ｎｏ）、次の中継候補端末についてループ２が実行される。
【００６３】
一方で、中継候補端末と被中継端末との距離が閾値ＴＨ４未満である場合は（ステップＳ３０１：Ｙｅｓ）、通信制御部１４は、中継候補端末の通信中のトラヒック量が閾値ＴＨ５未満であるか否かを判断する（ステップＳ３０３）。中継候補端末の通信中のトラヒック量が閾値ＴＨ５以上である場合は（ステップＳ３０３：Ｎｏ）、次の中継候補端末についてループ２が実行される。
【００６４】
一方で、中継候補端末の通信中のトラヒック量が閾値ＴＨ５未満である場合は（ステップＳ３０３：Ｙｅｓ）、通信制御部１４は、中継候補端末がＤ２Ｄ端末であるか否かを判断する（ステップＳ３０５）。中継候補端末がＤ２Ｄ端末でない場合、つまり、セルラ端末である場合は（ステップＳ３０５：Ｎｏ）、次の中継候補端末についてループ２が実行される。
【００６５】
一方で、中継候補端末がＤ２Ｄ端末である場合は（ステップＳ３０５：Ｙｅｓ）、通信制御部１４は、中継候補端末が「静止端末」であるか否かを判断する（ステップＳ３０７）。
【００６６】
ここで、最近、新たなユーザ端末としてＭＴＣ（Machine  Type  Communication）端末の導入が検討されている。ＭＴＣ端末の一例として、例えば、無線通信機能を備えた電力メーターであるスマートメーター、無線通信機能を備えた自動販売機等が挙げられる。そこで、「静止端末」とは、例えばスマートメーター等の移動しないユーザ端末であり、ＭＴＣ端末に相当する。一方で、以下では、例えば携帯電話、スマートフォン、タブレット端末等の移動可能なユーザ端末を「移動端末」と呼ぶことがある。各ユーザ端末について静止端末であるか否かを示す情報は、通信事業者等によって予め情報記憶部１６に記憶されている。また、静止端末の中にも、Ｄ２Ｄ通信が可能なものと、Ｄ２Ｄ通信が可能でないものの両者が存在する。
【００６７】
中継候補端末が静止端末でない場合、つまり、移動端末である場合は（ステップＳ３０７：Ｎｏ）、通信制御部１４は、中継候補端末と基地局１０との通信が終了した時刻からの経過時間が閾値ＴＨ６未満か否かを判断する（ステップＳ３０９）。一方で、中継候補端末が静止端末である場合は（ステップＳ３０７：Ｙｅｓ）、ステップＳ３０９，Ｓ３１１の処理は行われずに、処理はステップＳ３１３へ進む。
【００６８】
通信終了時刻からの経過時間が閾値ＴＨ６以上である場合は（ステップＳ３０９：Ｎｏ）、次の中継候補端末についてループ２が実行される。
【００６９】
一方で、通信終了時刻からの経過時間が閾値ＴＨ６未満である場合は（ステップＳ３０９：Ｙｅｓ）、通信制御部１４は、中継候補端末の移動速度が閾値ＴＨ７未満であるか否かを判断する（ステップＳ３１１）。中継候補端末の移動速度が閾値ＴＨ７以上である場合は（ステップＳ３１１：Ｎｏ）、次の中継候補端末についてループ２が実行される。一方で、中継候補端末の移動速度が閾値ＴＨ７未満である場合は（ステップＳ３１１：Ｙｅｓ）、処理はステップＳ３１３へ進む。
【００７０】
ステップＳ３１３では、通信制御部１４は、ステップＳ３０１〜Ｓ３０７の条件を満たす各中継候補端末、及び、ステップＳ３０１〜Ｓ３０５，Ｓ３０９，Ｓ３１１の条件を満たす各中継候補端末を、被中継端末との距離が短い順にソートする（ステップＳ３１３）。ソート後、次の中継候補端末についてループ２が実行される。
【００７１】
通信制御部１４は、ループ２の繰り返し処理を抜けると、ステップＳ３１３でのソート後の中継候補端末に静止端末が存在するか否かを判断する（ステップＳ３１５）。
【００７２】
ステップＳ３１３でのソート後の中継候補端末に静止端末が存在する場合は（ステップＳ３１５：Ｙｅｓ）、静止端末のうちでソート順がトップのもの、つまり、ステップＳ３０１〜Ｓ３０７のすべての条件を満たし、かつ、被中継端末との距離が最短の静止端末を、中継端末として選択する（ステップＳ３１７）。ステップＳ３１７の処理後、処理はステップＳ１０７（図６）へ進む。
【００７３】
一方で、ステップＳ３１３でのソート後の中継候補端末に静止端末が存在しない場合は（ステップＳ３１５：Ｎｏ）、移動端末のうちでソート順がトップのもの、つまり、ステップＳ３０１〜Ｓ３０５及びＳ３０９，Ｓ３１１のすべての条件を満たし、かつ、被中継端末との距離が最短の移動端末を、中継端末として選択する（ステップＳ３１９）。ステップＳ３１９の処理後、処理はステップＳ１０７（図６）へ進む。
【００７４】
なお、図１０におけるステップＳ３０３，Ｓ３０７，Ｓ３０９，Ｓ３１１の４つの条件判断のうち、１つ、２つまたは３つだけを採用してもよい。何れの条件判断を採用するかは、例えば通信事業者等によって決定される。
【００７５】
＜選択処理の具体例＞
次いで、被中継端末及び中継端末の選択処理の具体例について説明する。図１１〜図１４は、実施例１の選択処理の具体例の説明に供する図である。
【００７６】
図１１に示すように、通信制御部１４は、端末ＩＤが０１〜１０の各ユーザ端末について、各項目の情報を把握している。これらの情報は、監視部１５によって監視されたもの、または、情報記憶部１６に記憶されているものである。図１１において、「通信開始時刻」及び「通信終了時刻」の表示形式は「ＨＨ：ＭＭ：ＳＳ」である。また、「通信終了時刻」において「ＡＬＬＦ」は基地局１０との通信が終了していないこと、つまり、基地局１０と通信中であることを示す。また、「静止端末」の項目において、「○」はユーザ端末が静止端末であることを示し、「×」はユーザ端末が移動端末であることを示す。また、「Ｄ２Ｄ端末」の項目において、「○」はユーザ端末がＤ２Ｄ端末であることを示し、「×」はユーザ端末がセルラ端末であることを示す。また、「通信終了時位置情報」は、直近の通信終了時の位置を示す。また、「移動速度」は、「通信開始位置情報」、「通信終了時位置情報」及び「通信開始時刻」の各項目の値と、現在の時刻とを用いて算出される。
【００７７】
まず、通信制御部１４は、図９に示すフローチャートに従って、被中継端末を選択する。ここでは、一例として、図９において、閾値ＴＨ２を「２５」とし、閾値ＴＨ３を「１０ｋｍ／ｈ」とする。
【００７８】
よって、図１１において、図９のステップＳ２０１の条件を満たすユーザ端末は、端末ＩＤが０２〜０８の各ユーザ端末になる。
【００７９】
さらにステップＳ２０３の条件を満たすユーザ端末は、端末ＩＤが０２〜０８の各ユーザ端末のうち、端末ＩＤが０２〜０５の各ユーザ端末になる。
【００８０】
さらにステップＳ２０５の条件を満たすユーザ端末は、端末ＩＤが０２〜０５の各ユーザ端末のうち、端末ＩＤが０２，０３，０５の各ユーザ端末になる。
【００８１】
端末ＩＤが０２，０３，０５の各ユーザ端末は何れもＤ２Ｄ端末であるため、ステップＳ２０７の条件を満たす。
【００８２】
よって、ステップＳ２０９でのソートを行った結果、つまり、ステップＳ２１１における被中継端末候補リストは、図１２に示すようになる。
【００８３】
そこで、通信制御部１４は、ステップＳ２１３において、端末ＩＤが０２のユーザ端末を被中継端末として選択する。被中継端末として選択された端末ＩＤが０２のユーザ端末は、例えば、図２におけるユーザ端末２０−１である。
【００８４】
次いで、通信制御部１４は、図１０に示すフローチャートに従って、中継端末を選択する。ここでは、一例として、図１０において、閾値ＴＨ４を「１００ｍ」とし、閾値ＴＨ５を「１０ｂｐｓ」とし、閾値ＴＨ６を「３６００秒」とし、閾値ＴＨ７を「１０ｋｍ／ｈ」とする。また、現在時刻（ＨＨ：ＭＭ：ＳＳ）を「２：４５：００」とする。
【００８５】
図１０のステップＳ３０１では、通信制御部１４は、端末ＩＤが０２のユーザ端末（つまり、被中継端末）以外のすべてのユーザ端末について、端末ＩＤが０２のユーザ端末との距離を算出する。算出結果を図１３に示す。
【００８６】
よって、図１３において、ステップＳ３０１の条件を満たすユーザ端末は、端末ＩＤが０３，０８，０９の各ユーザ端末になる。
【００８７】
さらにステップＳ３０３の条件を満たすユーザ端末は、端末ＩＤが０３，０８，０９の各ユーザ端末のうち、端末ＩＤが０８，０９の各ユーザ端末になる。
【００８８】
端末ＩＤが０８，０９の各ユーザ端末は何れもＤ２Ｄ端末であるため、ステップＳ３０５の条件を満たす。
【００８９】
また、端末ＩＤが０８のユーザ端末は静止端末であり（ステップＳ３０７：Ｙｅｓ）、端末ＩＤが０９のユーザ端末は移動端末である（ステップＳ３０７：Ｎｏ）。
【００９０】
さらに、端末ＩＤが０９のユーザ端末は、ステップＳ３０９及びＳ３１１の双方の条件を満たす。
【００９１】
よって、ステップＳ３１３でのソートを行った結果は、図１４に示すようになる。
【００９２】
また、端末ＩＤが０８，０９の各ユーザ端末のうち、端末ＩＤが０８のユーザ端末は静止端末であるため、ステップＳ３１５での判断結果は「Ｙｅｓ」となって、通信制御部１４は、ステップＳ３１７において、端末ＩＤが０８のユーザ端末を中継端末として選択する。中継端末として選択された端末ＩＤが０８のユーザ端末は、例えば、図２におけるユーザ端末２０−２である。
【００９３】
以上のように、実施例１では、下り総送信電力に上限がある基地局１０が、監視部１５と、通信制御部１４とを有する。監視部１５は、基地局１０からの下り総送信電力を監視する。通信制御部１４は、基地局１０からの下り総送信電力が閾値ＴＨ１以上であるときに、ユーザ端末２０−１宛てのデータＤ１の送信先を、ユーザ端末２０−１からユーザ端末２０−２へ切り替える。ユーザ端末２０−２は、基地局１０を介さずにユーザ端末２０−１と直接通信することが可能なユーザ端末、つまり、ユーザ端末２０−１とＤ２Ｄ通信が可能なユーザ端末である。
【００９４】
これにより、ユーザ端末２０−２は、データＤ１を中継してユーザ端末２０−１へ送信する。
【００９５】
また、ユーザ端末２０−２への下り送信電力は、ユーザ端末２０−１への下り送信電力より小さい。
【００９６】
よって、実施例１によれば、基地局１０からユーザ端末２０−１への送信が不要になるため、基地局１０からの下り総送信電力がユーザ端末２０−１への下り送信電力分だけ減少する。よって、基地局１０からの下り総送信電力に余裕が生じるため、システム容量の低下を抑えることができる。
【００９７】
また、通信制御部１４は、基地局１０からの下り送信電力が閾値ＴＨ２以上のユーザ端末を被中継端末として選択する。
【００９８】
こうすることで、基地局１０からの下り総送信電力の減少量を増大させることができるため、システム容量の低下の抑制度合いを高めることができる。
【００９９】
また、通信制御部１４は、移動速度が閾値ＴＨ３未満のユーザ端末を被中継端末として選択する。
【０１００】
こうすることで、今後も引き続きセルＣ１に滞在する可能性が高いユーザ端末を被中継端末とすることができるため、基地局１０からの下り総送信電力を確実に低下させることができる。つまり、最適なユーザ端末を被中継端末とすることができる。
【０１０１】
また、通信制御部１４は、トラヒック量が閾値ＴＨ５未満のユーザ端末を中継端末として選択する。
【０１０２】
こうすることで、トラヒック量に余裕があるユーザ端末、すなわち、中継端末となることによって自端末のスループットの低下を引き起こす可能性が小さいユーザ端末を中継端末とすることができる。このため、中継端末となるユーザ端末の通信に影響を与えることなく、中継端末による被中継端末への中継送信を行うことができる。
【０１０３】
また、通信制御部１４は、通信終了からの経過時間が閾値ＴＨ６未満のユーザ端末を中継端末として選択する。
【０１０４】
こうすることで、今後も引き続きセルＣ１に滞在する可能性が高いユーザ端末を中継端末とすることができるため、一旦減少した下り総送信電力が再び増加してしまうことを防ぐことができる。
【０１０５】
また、通信制御部１４は、移動速度が閾値未満のユーザ端末を中継端末として選択する。
【０１０６】
こうすることで、今後も引き続きセルＣ１に滞在する可能性が高いユーザ端末を中継端末とすることができるため、一旦減少した下り総送信電力が再び増加してしまうことを防ぐことができる。
【０１０７】
また、通信制御部１４は、静止端末を中継端末として選択する。
【０１０８】
こうすることで、移動端末の通信に影響を与えることなく、中継端末による被中継端末への中継送信を行うことができる。
【０１０９】
［実施例２］
＜通信システムの構成＞
図１５は、実施例２の通信システムの一例を示す図である。図１５には、図２に示す状態から移行した後の状態を示す。
【０１１０】
すなわち、図２に示すようにユーザ端末２０−１宛てのデータＤ１の送信先をユーザ端末２０−１からユーザ端末２０−２に切り替えても、未だ基地局１０の下り総送信電力が閾値ＴＨ１以上であるときは、通信システム１は、図２に示す状態から、例えば図１５に示す状態にさらに移行する。すなわち、図１５では、図２に示す状態から、さらに、ユーザ端末２０−３宛てのデータＤ３の送信先がユーザ端末２０−３からユーザ端末２０−２に切り替えられ、ユーザ端末２０−３宛てのデータＤ３は、ユーザ端末２０−２を中継してユーザ端末２０−３へ送信される。ここで、ユーザ端末２０−３は、ユーザ端末２０−２に近接するため、ユーザ端末２０−２とＤ２Ｄ通信が可能である。そこで、通信システム１が図２に示す状態から図１５に示す状態に移行することにより、基地局１０からユーザ端末２０−３への送信がさらに不要になり、基地局１０の下り総送信電力が、ユーザ端末２０−３への下り送信電力分だけさらに減少する。通信システム１が図２に示す状態から図１５に示す状態に移行した結果、基地局１０の下り総送信電力が閾値ＴＨ１未満となって閾値ＴＨ１未満に維持されている間は、通信システム１は、図１５に示す状態を継続する。
【０１１１】
＜基地局の構成＞
基地局の構成は、実施例１（図４）と同一であるため説明を省略する。
【０１１２】
＜ユーザ端末の構成＞
Ｄ２Ｄ端末の構成は、実施例１（図５）と同一であるため説明を省略する。
【０１１３】
＜基地局の処理＞
図１６及び図１７は、実施例２の基地局の処理の説明に供するフローチャートである。図１６及び図１７に示すフローチャートは、基地局１０が新たなユーザ端末と通信を開始したとき、または、所定の周期で開始される。
【０１１４】
図１６及び図１７において、ステップＳ１０１〜Ｓ１１９の処理は実施例１（図６）と同一であるため、説明を省略する。
【０１１５】
ステップＳ１１５の処理後、通信制御部１４は、基地局１０からの下り総送信電力が閾値ＴＨ１以上であるか否かを判断する（ステップＳ４０１）。基地局１０からの下り総送信電力が閾値ＴＨ１未満であるときは（ステップＳ４０１：Ｎｏ）、処理は終了する。
【０１１６】
一方で、基地局１０からの下り総送信電力が閾値ＴＨ１以上であるときは（ステップＳ４０１：Ｙｅｓ）、通信制御部１４は、「追加被中継端末」を選択する（ステップＳ４０３）。ここで、「追加被中継端末」とは、互いに同一の中継端末によってそれぞれ自端末宛てのデータをＤ２Ｄ通信を用いて中継送信される複数のユーザ端末のうち、２つ目以降の被中継端末として選択されたユーザ端末である。例えば、図１５に示す状態では、ユーザ端末２０−３が追加被中継端末に該当する。追加被中継端末の選択処理の詳細は後述する。
【０１１７】
次いで、通信制御部１４は追加被中継端末及び中継端末に対してＤ２Ｄ通信の開始を指示する（ステップＳ４０５）。これにより、追加被中継端末と中継端末との間でのＤ２Ｄ通信が開始される。追加被中継端末と中継端末とのＤ２Ｄ通信は、被中継端末と中継端末とのＤ２Ｄ通信と同様に、例えば図８に従って開始される。
【０１１８】
次いで、通信制御部１４は、基地局１０と追加被中継端末との間の無線リンクを解放する（ステップＳ４０７）。
【０１１９】
次いで、通信制御部１４は、基地局１０からの下り総送信電力が閾値ＴＨ１以上であるか否かを判断する（ステップＳ４０９）。基地局１０からの下り総送信電力が閾値ＴＨ１未満であるときは（ステップＳ４０９：Ｎｏ）、処理は終了する。
【０１２０】
一方で、基地局１０からの下り総送信電力が閾値ＴＨ１以上であるときは（ステップＳ４０９：Ｙｅｓ）、通信制御部１４は、ステップＳ４０３の処理により追加被中継端末として選択していなかったユーザ端末が存在するか否かを判断する（ステップＳ４１１）。追加被中継端末として選択していなかったユーザ端末が存在する場合は（ステップＳ４１１：Ｙｅｓ）、処理はステップＳ４０３に戻る。一方で、追加被中継端末として選択していなかったユーザ端末が存在しない場合は（ステップＳ４１１：Ｎｏ）、処理はステップＳ１２３へ進む。
【０１２１】
＜追加被中継端末の選択処理＞
図１８は、実施例２の追加被中継端末選択処理の説明に供するフローチャートである。
【０１２２】
通信制御部１４は、ループ３の条件下で、ステップＳ５０１，Ｓ５０２，Ｓ２０３〜Ｓ２０９の処理を繰り返す。すなわち、通信制御部１４は、被中継端末及び中継端末以外のすべてのユーザ端末についてステップＳ５０１，Ｓ５０２，Ｓ２０３〜Ｓ２０９の処理を繰り返す（ループ３）。なお、図１８においてステップＳ２０３〜Ｓ２０９の処理は図９と同一であるため、説明を省略する。
【０１２３】
まず、通信制御部１４は、追加被中継端末の候補とするユーザ端末（以下では「追加被中継候補端末」と呼ぶことがある）が基地局１０と通信中か否か（つまり、アイドル状態でないか否か）を判断する（ステップＳ５０１）。判断方法は、実施例１と同様である。追加被中継候補端末が通信中でない場合は（ステップＳ５０１：Ｎｏ）、次の追加被中継候補端末についてループ３が実行される。
【０１２４】
一方で、追加被中継候補端末が通信中である場合は（ステップＳ５０１：Ｙｅｓ）、通信制御部１４は、追加被中継候補端末と、ステップＳ１０５（図６）で選択された中継端末との距離が閾値ＴＨ４未満であるか否かを判断する（ステップＳ５０２）。つまり、ステップＳ５０２では、追加被中継候補端末が中継端末と通信可能な範囲に位置するか否かが判断される。追加被中継候補端末と中継端末との距離が閾値ＴＨ４以上である場合は（ステップＳ５０２：Ｎｏ）、次の追加被中継候補端末についてループ３が実行される。一方で、追加被中継候補端末と中継端末との距離が閾値ＴＨ４未満である場合は（ステップＳ５０２：Ｙｅｓ）、処理はステップＳ２０３へ進む。
【０１２５】
通信制御部１４は、ループ３の繰り返し処理を抜けると、ステップＳ２０９でのソート順がトップのユーザ端末、つまり、ステップＳ５０１，Ｓ５０２，Ｓ２０３〜Ｓ２０７のすべての条件を満たし、かつ、下り送信電力が最大のユーザ端末を、追加被中継端末として選択する（ステップＳ５０３）。ステップＳ５０３の処理後、処理はステップＳ４０５（図１７）へ進む。
【０１２６】
なお、図１８におけるステップＳ２０３及びＳ２０５の２つの条件判断のうち、何れか一方だけを採用してもよい。何れの条件判断を採用するかは、例えば通信事業者等によって決定される。
【０１２７】
＜選択処理の具体例＞
次いで、追加被中継端末の選択処理の具体例について説明する。図１９及び図２０は、実施例２の選択処理の具体例の説明に供する図である。
【０１２８】
通信制御部１４は、図１８に示すフローチャートに従って、追加被中継端末を選択する。
【０１２９】
まず、通信制御部１４は、端末ＩＤが０２のユーザ端末（つまり、被中継端末）及び端末ＩＤが０８のユーザ端末（つまり、中継端末）以外のすべてのユーザ端末について、図１８のステップＳ５０１の条件を満たすか否かを判断する。よって、図１９において、図１８のステップＳ５０１の条件を満たすユーザ端末は、端末ＩＤが０３〜０７の各ユーザ端末になる。
【０１３０】
次いで、通信制御部１４は、図１８のステップＳ５０２において、端末ＩＤが０２のユーザ端末及び端末ＩＤが０８のユーザ端末以外のすべてのユーザ端末について、端末ＩＤが０８のユーザ端末（つまり、中継端末）との距離を算出する。算出結果を図１９に示す。
【０１３１】
よって、図１９において、ステップＳ５０１及びＳ５０２の双方の条件を満たすユーザ端末は、端末ＩＤが０３のユーザ端末になる。
【０１３２】
さらに端末ＩＤが０３のユーザ端末は、ステップＳ２０３〜Ｓ２０７のすべての条件を満たす。
【０１３３】
よって、ステップＳ２０９でのソートを行った結果は、図２０に示すようになる。
【０１３４】
そこで、通信制御部１４は、ステップＳ５０３において、端末ＩＤが０３のユーザ端末を追加被中継端末として選択する。追加被中継端末として選択された端末ＩＤが０３のユーザ端末は、例えば、図１５におけるユーザ端末２０−３である。
【０１３５】
以上のように、実施例２では、通信制御部１４は、ユーザ端末２０−１に加えて、さらに、ユーザ端末２０−２とＤ２Ｄ通信可能なユーザ端末２０−３宛てのデータＤ３の送信先を、ユーザ端末２０−３からユーザ端末２０−２へ切り替える。
【０１３６】
こうすることで、１つの中継端末が複数の被中継端末宛てのデータを中継送信することになるため、中継端末数の増加を抑えることができる。
【０１３７】
また、１つの基地局が同時に確立可能な無線リンク数には上限がある。これに対し、実施例２では、追加被中継端末を選択する時点で、中継端末は既に基地局１０と通信中であるため、中継端末によって追加被中継端末への中継送信を行うにあたり、中継端末と基地局１０との間に新たに無線リンクを確立する必要がない。よって、実施例２は、確立可能な無線リンク数が逼迫したときに好適なものである。そこで、例えば、通信制御部１４は、図２に示すようにユーザ端末２０−１のための中継端末としてユーザ端末２０−２を選択後に、基地局１０が確立済みの無線リンク数に基づいて、図２に示す状態から、図３に示す状態または図１５に示す状態の何れに移行するかを判断してもよい。例えば、基地局１０が確立済みの無線リンク数が所定の閾値未満のときは図３に示す状態に移行し、基地局１０が確立済みの無線リンク数が所定の閾値以上のときは図１５に示す状態に移行するとよい。
【０１３８】
［実施例３］
＜通信システムの構成＞
図２１は、実施例３の通信システムの一例を示す図である。図２１において、通信システム２は、基地局１０−１，１０−２と、ユーザ端末２０−１〜２０−３とを有する。基地局１０−１はセルＣ１を形成し、基地局１０−２はセルＣ２を形成し、基地局１０−１と基地局１０−２とは互いに隣接し、セルＣ１とセルＣ２とは互いに隣接する。基地局１０−１と基地局１０−２とは、例えば、Ｘ２インタフェースを介して接続されている。ユーザ端末２０−１はセルＣ１のセルエッジに位置して基地局１０−１と通信し、ユーザ端末２０−２はセルＣ２内に位置して基地局１０−２と通信し、ユーザ端末２０−３は、セルＣ１とセルＣ２とがオーバラップする領域に位置して基地局１０−２と通信している。よって、図２１において、基地局１０−１は、ユーザ端末２０−１へ、セルラ通信によって、データＤ１を送信し、基地局１０−２は、ユーザ端末２０−２，２０−３の各々へ、セルラ通信によって、データＤ２，Ｄ３をそれぞれ送信する。
【０１３９】
以下では、基地局１０−１と基地局１０−２とを区別しない場合には「基地局１０」と総称することがある。
【０１４０】
ユーザ端末２０−１がセルＣ１のセルエッジに位置するため、基地局１０−１から送信されるデータＤ１の送信電力が大きい。また、ＬＴＥでは、互いに隣接するセル間で同一の周波数を用いて通信が行われる。このため、データＤ１の送信により、セルＣ１の隣接セルであるセルＣ２を形成する基地局１０−２と通信中であるユーザ端末２０−３へ与える干渉Ｉ１が大きくなってしまう。このように、ユーザ端末へ与える干渉が大きくなると、システム容量が低下する。そこで、図２１に示す状態において、基地局１０−１は、自局と通信中の各ユーザ端末２０への下り送信電力を個別に常時監視し、下り送信電力が閾値ＴＨ２以上であるユーザ端末２０が存在するか否かを判断する。下り送信電力が閾値ＴＨ２以上であるユーザ端末２０が存在しないときは、通信システム２は、図２１に示す状態を継続する。
【０１４１】
一方で、下り送信電力が閾値ＴＨ２以上であるユーザ端末２０が存在するときは、基地局１０−１は、下り送信電力が閾値ＴＨ２以上であるユーザ端末２０を特定する。ここでは、ユーザ端末２０−１への下り送信電力（つまり、データＤ１の下り送信電力）が閾値ＴＨ２以上であるとする。つまり、データＤ１の送信によりユーザ端末２０−３へ与える干渉Ｉ１が閾値ＴＨ８以上であるとする。この場合、通信システム２は、図２１に示す状態から、図２２に示す状態に移行する。図２２は、実施例３の通信システムの一例を示す図である。ここで、ユーザ端末２０−２は、ユーザ端末２０−１に近接するため、ユーザ端末２０−１とＤ２Ｄ通信が可能である。また、ユーザ端末２０−２は、基地局１０−２が形成するセルＣ２内に位置するユーザ端末であるため、基地局１０−２とセルラ通信が可能である。そこで、図２２では、ユーザ端末２０−１宛てのデータＤ１の送信元が基地局１０−１から基地局１０−２に切り替えられるとともに、基地局１０−２からのデータＤ１の送信先がユーザ端末２０−２に決定される。これにより、ユーザ端末２０−１宛てのデータＤ１は、ユーザ端末２０−２を中継してユーザ端末２０−１へ送信される。また、データＤ１の送信元が基地局１０−１から基地局１０−２に切り替えられることに伴って、基地局１０−１からユーザ端末２０−１へのデータＤ１の送信は中止される。よって、通信システム２が図２１に示す状態から図２２に示す状態に移行することにより、ユーザ端末２０−３へ与える大きな干渉Ｉ１が無くなるため、システム容量の低下を抑えることができる。
【０１４２】
＜基地局の構成＞
基地局の構成は、実施例１（図４）と同一であるため説明を省略する。
【０１４３】
＜ユーザ端末の構成＞
Ｄ２Ｄ端末の構成は、実施例１（図５）と同一であるため説明を省略する。
【０１４４】
＜通信システムの処理シーケンス＞
図２３は、実施例３の通信システムの処理シーケンスの一例を示す図である。
【０１４５】
通信システム２において、基地局１０−１の通信制御部１４と基地局１０−２の通信制御部１４とは、Ｘ２インタフェースを介して、基地局情報を互いにやり取りする（ステップＳ６０１）。
【０１４６】
基地局情報のやり取りは、所定の周期で繰り返し行われる。基地局情報には、各基地局１０と接続中のユーザ端末２０，３０の状態についての情報が含まれる。基地局情報は、監視部１５によって監視されたもの、または、情報記憶部１６に記憶されているものである。例えば、基地局ＩＤが０１である基地局１０−１から送信される基地局情報には、図２４に示す各項目の情報のうち、基地局ＩＤ＝０１に対応する情報が含まれる。図２４において、基地局ＩＤ＝０１に対応する情報は、基地局１０−１と接続中のユーザ端末（つまり、端末ＩＤが０１〜０５の各ユーザ端末）についての情報である。一方で、基地局ＩＤが０２である基地局１０−２から送信される基地局情報には、図２４に示す各項目の情報のうち、基地局ＩＤ＝０２に対応する情報が含まれる。図２４において、基地局ＩＤ＝０２に対応する情報は、基地局１０−２と接続中のユーザ端末（つまり、端末ＩＤが０６〜１０の各ユーザ端末）についての情報である。
【０１４７】
基地局１０−１の通信制御部１４は、基地局１０−１が管理する基地局情報（つまり、基地局ＩＤ＝０１に対応する情報）と、基地局１０−２から受信する基地局情報（つまり、基地局ＩＤ＝０２に対応する情報）とをマージし、マージ後の基地局情報を情報記憶部１６に記憶させる。また、基地局１０−２の通信制御部１４は、基地局１０−２が管理する基地局情報（つまり、基地局ＩＤ＝０２に対応する情報）と、基地局１０−１から受信する基地局情報（つまり、基地局ＩＤ＝０１に対応する情報）とをマージし、マージ後の基地局情報を情報記憶部１６に記憶させる。よって、基地局１０−１と基地局１０−２との間で、基地局情報が、図２４に示すような状態で同期される。
【０１４８】
ステップＳ６０３では、基地局１０−１は、データＤ１をユーザ端末２０−１へ送信する。
【０１４９】
ステップＳ６０５では、基地局１０−２は、データＤ２をユーザ端末２０−２へ送信する。
【０１５０】
ステップＳ６０７では、基地局１０−１の通信制御部１４が、被中継端末を選択する。被中継端末の選択は、実施例１（図９）と同様にして行われる。但し、基地局１０−１は、基地局１０−１と接続中のユーザ端末（つまり、図２４における端末ＩＤ＝０１〜０５のユーザ端末）を選択候補として、被中継端末の選択を行う。被中継端末の選択処理の具体例については後述する。ここでは、ユーザ端末２０−１が被中継端末として選択されたものとする。
【０１５１】
ステップＳ６０９では、基地局１０−１の通信制御部１４は、Ｄ２Ｄ要求を基地局１０−２へ送信する。ステップＳ６０９におけるＤ２Ｄ要求には、ステップＳ６０７で選択された被中継端末の端末ＩＤ、及び、被中継端末の現在位置を示す位置情報（つまり、ユーザ端末２０−１の端末ＩＤと現在位置情報）が含まれる。なお、ステップＳ６０７において被中継端末の選択に失敗した場合は、ステップＳ６０９におけるＤ２Ｄ要求は送信されず、処理はステップＳ６０１に戻る。
【０１５２】
ステップＳ６１１では、基地局１０−１からのＤ２Ｄ要求を受信した基地局１０−２の通信制御部１４が、中継端末を選択する。中継端末の選択は、実施例１（図１０）と同様にして行われる。但し、基地局１０−２は、基地局１０−２と接続中のユーザ端末（つまり、図２４における端末ＩＤ＝０６〜１０のユーザ端末）を選択候補として、中継端末の選択を行う。中継端末の選択処理の具体例については後述する。ここでは、ユーザ端末２０−２が中継端末として選択されたものとする。
【０１５３】
ステップＳ６１３では、基地局１０−２の通信制御部１４が、Ｄ２Ｄ信号をユーザ端末２０−２へ送信する。ステップＳ６１３におけるＤ２Ｄ信号には、被中継端末の端末ＩＤ（つまり、ユーザ端末２０−１の端末ＩＤ）が含まれる。なお、ステップＳ６１１において中継端末の選択に失敗した場合は、ステップＳ６１３におけるＤ２Ｄ信号は送信されず、処理はステップＳ６０１に戻る。
【０１５４】
ステップＳ６１５では、基地局１０−２の通信制御部１４が、ステップＳ６０９で受信したＤ２Ｄ要求に対するＤ２Ｄ応答を基地局１０−１へ送信する。ステップＳ６１５におけるＤ２Ｄ応答には、中継端末の端末ＩＤ（つまり、ユーザ端末２０−２の端末ＩＤ）が含まれる。
【０１５５】
ステップＳ６１７では、基地局１０−２からのＤ２Ｄ応答を受信した基地局１０−１の通信制御部１４が、Ｄ２Ｄ信号をユーザ端末２０−１へ送信する。ステップＳ６１７におけるＤ２Ｄ信号には、中継端末の端末ＩＤ（つまり、ユーザ端末２０−２の端末ＩＤ）が含まれる。
【０１５６】
ステップＳ６１９では、ステップＳ６１３におけるＤ２Ｄ信号に含まれる端末ＩＤと、ステップＳ６１７におけるＤ２Ｄ信号に含まれる端末ＩＤとに従って、ユーザ端末２０−２とユーザ端末２０−１との間でのＤ２Ｄ通信が確立する。これにより、中継端末であるユーザ端末２０−２と、被中継端末であるユーザ端末２０−１との間のＤ２Ｄ通信が開始される。
【０１５７】
Ｄ２Ｄ通信の確立後、ステップＳ６２１では、ユーザ端末２０−２は、ユーザ端末２０−１とのＤ２Ｄ通信が確立したことを示すＤ２Ｄ接続完了通知を基地局１０−２へ送信する。
【０１５８】
ステップＳ６２３では、基地局１０−２は、ステップＳ６２１で受信したＤ２Ｄ接続完了通知を基地局１０−１へ転送する。
【０１５９】
ステップＳ６２５では、基地局１０−２からのＤ２Ｄ接続完了通知を受信した基地局１０−１の通信制御部１４は、基地局１０−１と被中継端末であるユーザ端末２０−１との間の無線リンクを解放する。
【０１６０】
ステップＳ６２７では、基地局１０−１の通信制御部１４は、データＤ１をユーザ端末１０−１ではなくて、基地局１０−２へ送信する。基地局１０−２は、基地局１０−１からデータＤ１を受信する。
【０１６１】
ステップＳ６２９では、基地局１０−２の通信制御部１４は、データＤ１，Ｄ２を中継端末であるユーザ端末２０−２へ送信する。ユーザ端末２０−２は、データＤ１，Ｄ２を受信する。
【０１６２】
ステップＳ６３１では、ユーザ端末２０−２の通信制御部２３は、ステップＳ６２９で受信したデータＤ１，Ｄ２のうち、データＤ１を中継してユーザ端末２０−１へ送信する。
【０１６３】
＜選択処理の具体例＞
次いで、被中継端末及び中継端末の選択処理の具体例について説明する。図２４及び図２５は、実施例３の選択処理の具体例の説明に供する図である。図２４に示す各項目の情報からなる基地局情報が、基地局１０−１及び基地局１０−２のそれぞれの情報記憶部１６に記憶されており、ステップＳ６０１（図２３）での基地局情報のやり取りに従って、随時更新される。
【０１６４】
図２４に示すように、基地局１０−１の通信制御部１４は、端末ＩＤが０１〜０５の各ユーザ端末（つまり、基地局１０−１が接続中のユーザ端末）について、各項目の情報を把握している。
【０１６５】
基地局１０−１の通信制御部１４は、図９に示すフローチャートに従って、端末ＩＤが０１〜０５のユーザ端末を選択候補として、被中継端末を選択する。ここでは、一例として、図９において、閾値ＴＨ２を「２５」とし、閾値ＴＨ３を「１０ｋｍ／ｈ」とする。
【０１６６】
よって、図２４において、端末ＩＤが０１〜０５のユーザ端末のうち、図９のステップＳ２０１及びステップＳ２０３の双方の条件を満たすユーザ端末は、端末ＩＤが０２〜０５の各ユーザ端末になる。
【０１６７】
さらにステップＳ２０５の条件を満たすユーザ端末は、端末ＩＤが０２〜０５の各ユーザ端末のうち、端末ＩＤが０２，０３，０５の各ユーザ端末になる。
【０１６８】
端末ＩＤが０２，０３，０５の各ユーザ端末は何れもＤ２Ｄ端末であるため、ステップＳ２０７の条件を満たす。
【０１６９】
よって、ステップＳ２０９でのソートを行った結果、つまり、ステップＳ２１１における被中継端末候補リストは、図１２に示すようになる。
【０１７０】
そこで、基地局１０−１の通信制御部１４は、ステップＳ２１３において、端末ＩＤが０２のユーザ端末を被中継端末として選択する。被中継端末として選択された端末ＩＤが０２のユーザ端末は、図２１及び図２２におけるユーザ端末２０−１である。
【０１７１】
一方で、図２４に示すように、基地局１０−２の通信制御部１４は、端末ＩＤが０６〜１０の各ユーザ端末（つまり、基地局１０−２が接続中のユーザ端末）について、各項目の情報を把握している。
【０１７２】
そこで、基地局１０−２の通信制御部１４は、端末ＩＤが０６〜１０のユーザ端末を選択候補として、図１０に示すフローチャートに従って、中継端末を選択する。つまり、実施例３では、図１０のループ２の処理は、基地局１０−２と接続中のすべてのユーザ端末について繰り返される。また、ここでは、一例として、図１０において、閾値ＴＨ４を「１００ｍ」とし、閾値ＴＨ５を「１０ｂｐｓ」とし、閾値ＴＨ６を「３６００秒」とし、閾値ＴＨ７を「１０ｋｍ／ｈ」とする。また、現在時刻（ＨＨ：ＭＭ：ＳＳ）を「２：４５：００」とする。
【０１７３】
図１０のステップＳ３０１では、基地局１０−２の通信制御部１４は、端末ＩＤが０６〜１０の各ユーザ端末について、端末ＩＤが０２のユーザ端末（つまり、被中継端末）との距離を算出する。算出結果を図２５に示す。
【０１７４】
よって、図２５において、端末ＩＤが０６〜１０のユーザ端末のうち、ステップＳ３０１及びステップＳ３０３の双方の条件を満たすユーザ端末は、端末ＩＤが０８，０９の各ユーザ端末になる。
【０１７５】
端末ＩＤが０８，０９の各ユーザ端末は何れもＤ２Ｄ端末であるため、ステップＳ３０５の条件を満たす。
【０１７６】
また、端末ＩＤが０８のユーザ端末は静止端末であり（ステップＳ３０７：Ｙｅｓ）、端末ＩＤが０９のユーザ端末は移動端末である（ステップＳ３０７：Ｎｏ）。
【０１７７】
さらに、端末ＩＤが０９のユーザ端末は、ステップＳ３０９及びＳ３１１の双方の条件を満たす。
【０１７８】
よって、ステップＳ３１３でのソートを行った結果は、図１４に示すようになる。
【０１７９】
また、端末ＩＤが０８，０９の各ユーザ端末のうち、端末ＩＤが０８のユーザ端末は静止端末であるため、ステップＳ３１５での判断結果は「Ｙｅｓ」となって、基地局１０−２の通信制御部１４は、ステップＳ３１７において、端末ＩＤが０８のユーザ端末を中継端末として選択する。中継端末として選択された端末ＩＤが０８のユーザ端末は、例えば、図２１及び図２２におけるユーザ端末２０−２である。
【０１８０】
なお、中継端末がアイドル状態であるときは、実施例１と同様に、図７に示すようにして、基地局１０−２の通信制御部１４が、中継端末とのセルラ通信を開始すると良い。
【０１８１】
以上のように、実施例３では、基地局１０−１からユーザ端末２０−１への下り送信電力が閾値ＴＨ２以上であるときに、基地局１０−２が、ユーザ端末２０−１宛てのデータＤ１をユーザ端末２０−２へ送信し、ユーザ端末２０−２が、データＤ１を中継してユーザ端末２０−１へ送信する。また、このとき、基地局１０−１は、ユーザ端末２０−１へのデータＤ１の送信を中止する。
【０１８２】
こうすることで、基地局１０−２が形成するセルＣ２に位置するユーザ端末２０，３０に対して基地局１０−１から与えられる大きな干渉が無くなるため、システム容量の低下を抑えることができる。
【０１８３】
［実施例４］
実施例３では、被中継端末の選択を行う基地局と、中継端末の選択を行う基地局とが異なっていた。これに対し、実施例４では、被中継端末の選択と中継端末の選択とを同一の基地局で行う場合について説明する。以下、実施例３との相違点について説明する。
【０１８４】
＜通信システムの構成＞
通信システムの構成は、実施例３（図２１及び図２２）と同一であるため説明を省略する。
【０１８５】
＜基地局の構成＞
基地局の構成は、実施例１（図４）と同一であるため説明を省略する。
【０１８６】
＜ユーザ端末の構成＞
Ｄ２Ｄ端末の構成は、実施例１（図５）と同一であるため説明を省略する。
【０１８７】
＜通信システムの処理シーケンス＞
図２６は、実施例４の通信システムの処理シーケンスの一例を示す図である。図２６において、実施例３（図２３）と同一の処理を行うステップには同一の符号を付し、説明を省略する。つまり、実施例４では、基地局１０−１が中継端末を選択することが、実施例３と相違する。
【０１８８】
すなわち、図２６のステップＳ６４１では、ステップＳ６０７で被中継端末を選択した基地局１０−１の通信制御部１４が、中継端末を選択する。ここでの中継端末の選択は、実施例３と同様に、基地局１０−２と接続中のユーザ端末（つまり、図２４における端末ＩＤ＝０６〜１０のユーザ端末）を選択候補として行われる。ここでは、ユーザ端末２０−２が中継端末として選択されたものとする。
【０１８９】
ステップＳ６４３では、基地局１０−１の通信制御部１４は、Ｄ２Ｄ要求を基地局１０−２へ送信する。ステップＳ６４３におけるＤ２Ｄ要求には、ステップＳ６０７で選択された被中継端末の端末ＩＤ、及び、被中継端末の現在位置を示す位置情報（つまり、ユーザ端末２０−１の端末ＩＤと現在位置情報）が含まれる。さらに、ステップＳ６４３におけるＤ２Ｄ要求には、ステップＳ６４１で選択された中継端末の端末ＩＤ（つまり、ユーザ端末２０−２の端末ＩＤ）が含まれる。なお、ステップＳ６０７において被中継端末の選択に失敗した場合、または、ステップＳ６４１において中継端末の選択に失敗した場合は、ステップＳ６４３におけるＤ２Ｄ要求は送信されず、処理はステップＳ６０１に戻る。
【０１９０】
以降の処理は、実施例３と同様である。
【０１９１】
以上のように、実施例４では、被中継端末の選択及び中継端末の選択の双方を基地局１０−１が行う。こうすることでも、実施例３と同様に、システム容量の低下を抑えることができる。
【０１９２】
［実施例５］
＜通信システムの構成＞
図２７は、実施例５の通信システムの一例を示す図である。図２７において、通信システム３は、基地局１０−１，１０−２と、ユーザ端末２０−１〜２０−３と、ＭＭＥ（Mobility  Management  Entity）４０−１，４０−２とを有する。以下では、ＭＭＥ４０−１とＭＭＥ４０−２とを区別しない場合には「ＭＭＥ４０」と総称することがある。ＭＭＥ４０は、基地局１０の上位の管理装置の一例である。
【０１９３】
実施例３と同様に、基地局１０−１はセルＣ１を形成し、基地局１０−２はセルＣ２を形成し、基地局１０−１と基地局１０−２とは互いに隣接し、セルＣ１とセルＣ２とは互いに隣接する。基地局１０−１と基地局１０−２とは、例えば、Ｘ２インタフェースを介して接続されている。ユーザ端末２０−１はセルＣ１のセルエッジに位置して基地局１０−１と通信し、ユーザ端末２０−２はセルＣ２内に位置して基地局１０−２と通信し、ユーザ端末２０−３は、セルＣ１とセルＣ２とがオーバラップする領域に位置して基地局１０−２と通信している。よって、図２７において、基地局１０−１は、ユーザ端末２０−１へ、セルラ通信によって、データＤ１を送信し、基地局１０−２は、ユーザ端末２０−２，２０−３の各々へ、セルラ通信によって、データＤ２，Ｄ３をそれぞれ送信する。
【０１９４】
また、図２７において、基地局１０とＭＭＥ４０とは、例えば、Ｓ１インタフェースを介して接続されている。また、ＭＭＥ４０−１とＭＭＥ４０−２とは、例えば、Ｓ１０インタフェースを介して接続されている。図２７において、データＤ１はＭＭＥ４０−１から基地局１０−１へ提供され、データＤ２，Ｄ３はＭＭＥ４０−２から基地局１０−２へ提供される。
【０１９５】
ここで、基地局１０とＭＭＥ４０との間の回線（例えば、Ｓ１インタフェース）に輻輳や障害が発生して、基地局１０とＭＭＥ４０との間の通信が不通になった場合には、ＭＭＥ４０から基地局１０へのデータ送信が困難になるため、基地局１０からユーザ端末２０へのデータ送信も困難になる。例えば、図２７において、ＭＭＥ４０−１と基地局１０−１との間の回線に輻輳が発生した場合には、ＭＭＥ４０−１と基地局１０−１との間の通信が不通になるため、基地局１０−１がユーザ端末２０−１へデータＤ１を送信することが困難になる。そこで、図２７に示す状態において、基地局１０−１は、自局とＭＭＥ４０−１との間の回線における障害の発生の有無を常時監視し、障害の発生により自局とＭＭＥ４０−１との間の通信が不通になっているか否かを判断する。基地局１０−１とＭＭＥ４０−１との間の通信が不通になっていないときは、通信システム３は、図２７に示す状態を継続する。
【０１９６】
一方で、基地局１０−１とＭＭＥ４０−１との間の通信が不通になっているときは、通信システム３は、図２７に示す状態から、図２８に示す状態に移行する。図２８は、実施例５の通信システムの一例を示す図である。ここで、ユーザ端末２０−２は、ユーザ端末２０−１に近接するため、ユーザ端末２０−１とＤ２Ｄ通信が可能である。また、ユーザ端末２０−２は、基地局１０−２が形成するセルＣ２内に位置するユーザ端末であるため、基地局１０−２とセルラ通信が可能である。そこで、図２８では、ユーザ端末２０−１宛てのデータＤ１の送信元が、ＭＭＥ４０−１及び基地局１０−１から、ＭＭＥ４０−２及び基地局１０−２に切り替えられるとともに、基地局１０−２からのデータＤ１の送信先がユーザ端末２０−２に決定される。また、ＭＭＥ４０−１は、データＤ１の送信先を、基地局１０−１からＭＭＥ４０−２へ切り替える。これにより、ユーザ端末２０−１宛てのデータＤ１は、ユーザ端末２０−２を中継してユーザ端末２０−１へ送信される。よって、通信システム３が図２７に示す状態から図２８に示す状態に移行することにより、ユーザ端末２０−１へのデータＤ１の送信を継続させることができる。
【０１９７】
＜基地局の構成＞
基地局の構成は、実施例１（図４）と同一であるため説明を省略する。
【０１９８】
＜ユーザ端末の構成＞
Ｄ２Ｄ端末の構成は、実施例１（図５）と同一であるため説明を省略する。
【０１９９】
＜通信システムの処理シーケンス＞
図２９は、実施例５の通信システムの処理シーケンスの一例を示す図である。
【０２００】
通信システム３において、基地局１０−１の通信制御部１４と基地局１０−２の通信制御部１４とは、Ｘ２インタフェースを介して、基地局情報を互いにやり取りする（ステップＳ７０１）。
【０２０１】
基地局情報のやり取りは、所定の周期で繰り返し行われる。基地局情報には、各基地局１０と接続中のユーザ端末２０，３０の状態についての情報が含まれる。また、基地局情報には、各基地局１０と各ＭＭＥ４０との通信の可否についての情報が含まれる。基地局１０とＭＭＥ４０との通信が「可」であることは、基地局１０とＭＭＥ４０との間の通信が不通でないことを示し、基地局１０とＭＭＥ４０との通信が「否」であることは、基地局１０とＭＭＥ４０との間の通信が不通であることを示す。基地局情報は、監視部１５によって監視されたもの、または、情報記憶部１６に記憶されているものである。例えば、基地局ＩＤが０１である基地局１０−１から送信される基地局情報には、図３０に示す各項目の情報のうち、基地局ＩＤ＝０１に対応する情報が含まれる。図３０において、基地局ＩＤ＝０１に対応する情報は、基地局１０−１に接続されたＭＭＥ４０−１（つまり、ＭＭＥ−ＩＤが０１のＭＭＥ）との通信の可否についての情報、及び、基地局１０−１と接続中のユーザ端末（つまり、端末ＩＤが０１〜０５の各ユーザ端末）についての情報である。一方で、基地局ＩＤが０２である基地局１０−２から送信される基地局情報には、図３０に示す各項目の情報のうち、基地局ＩＤ＝０２に対応する情報が含まれる。図３０において、基地局ＩＤ＝０２に対応する情報は、基地局１０−２に接続されたＭＭＥ４０−２（つまり、ＭＭＥ−ＩＤが０２のＭＭＥ）との通信の可否についての情報、及び、基地局１０−２と接続中のユーザ端末（つまり、端末ＩＤが０６〜１０の各ユーザ端末）についての情報である。
【０２０２】
基地局１０−１の通信制御部１４は、基地局１０−１が管理する基地局情報（つまり、基地局ＩＤ＝０１に対応する情報）と、基地局１０−２から受信する基地局情報（つまり、基地局ＩＤ＝０２に対応する情報）とをマージし、マージ後の基地局情報を情報記憶部１６に記憶させる。また、基地局１０−２の通信制御部１４は、基地局１０−２が管理する基地局情報（つまり、基地局ＩＤ＝０２に対応する情報）と、基地局１０−１から受信する基地局情報（つまり、基地局ＩＤ＝０１に対応する情報）とをマージし、マージ後の基地局情報を情報記憶部１６に記憶させる。よって、基地局１０−１と基地局１０−２との間で、基地局情報が、図３０に示すような状態で同期される。
【０２０３】
ステップＳ６０３では、基地局１０−１は、データＤ１をユーザ端末２０−１へ送信する。
【０２０４】
ステップＳ６０５では、基地局１０−２は、データＤ２をユーザ端末２０−２へ送信する。
【０２０５】
ステップＳ７０３では、基地局１０−１の通信制御部１４が、基地局１０−１とＭＭＥ４０−１との間の通信が不通であるか否かを判断する。基地局１０−１とＭＭＥ４０−１との間の通信が不通でない場合は（ステップＳ７０３：Ｎｏ）、処理はステップＳ６０３に戻る。
【０２０６】
一方、基地局１０−１とＭＭＥ４０−１との間の通信が不通である場合は（ステップＳ７０３：Ｙｅｓ）、基地局１０−１の通信制御部１４が、被中継端末を選択する（ステップＳ７０５）。ステップＳ７０５では、基地局１０−１と接続中のユーザ端末２０，３０のうち、すべてのユーザ端末２０が被中継端末に選択される。ここでは、基地局１０−１と接続中のユーザ端末２０は、ユーザ端末２０−１だけであるとする。
【０２０７】
以降の処理は、実施例３と同様である。
【０２０８】
なお、ステップＳ６２９において基地局１０−２からユーザ端末２０−２へ送信されるデータＤ１，Ｄ２のうちデータＤ１は、ＭＭＥ４０−１からＭＭＥ４０−２を介して基地局１０−２によって受信されたものである。
【０２０９】
また、ＭＭＥ４０−１においても、ＭＭＥ４０−１と基地局１０−１との間の通信が不通であるか否かを判断し、ＭＭＥ４０−１と基地局１０−１との間の通信が不通である場合には、データＤ１の送信先を基地局１０−１からＭＭＥ４０−２へ切り替えると良い。
【０２１０】
また、基地局１０−１と接続中のユーザ端末２０が複数存在する場合には、ステップＳ７０５以降の処理を各ユーザ端末２０について繰り返せば良い。
【０２１１】
＜選択処理の具体例＞
次いで、被中継端末及び中継端末の選択処理の具体例について説明する。図３０は、実施例５の選択処理の具体例の説明に供する図である。図３０に示す各項目の情報からなる基地局情報が、基地局１０−１及び基地局１０−２のそれぞれの情報記憶部１６に記憶されており、ステップＳ７０１（図２９）での基地局情報のやり取りに従って、随時更新される。
【０２１２】
図３０に示すように、基地局１０−１の通信制御部１４は、ＭＭＥ−ＩＤが０１のＭＭＥ（つまり、基地局１０−１に接続されたＭＭＥ４０−１）との通信の可否についての情報を把握している。また、基地局１０−１の通信制御部１４は、端末ＩＤが０１〜０５の各ユーザ端末（つまり、基地局１０−１が接続中のユーザ端末）について、各項目の情報を把握している。
【０２１３】
基地局１０−１の通信制御部１４は、ＭＭＥ−ＩＤが０１のＭＭＥ（つまり、基地局１０−１に接続されたＭＭＥ４０−１）との通信が不通であると判断すると、端末ＩＤが０１〜０５のユーザ端末のうち、Ｄ２Ｄ端末を被中継端末として選択する。図３０に示すように、端末ＩＤが０１〜０５のユーザ端末はすべてＤ２Ｄ端末であるため、端末ＩＤが０１〜０５のユーザ端末のすべてが被中継端末として選択される。ここでは、端末ＩＤが０１〜０５のユーザ端末において、下り送信電力が大きい順に優先して被中継端末に選択されるのが好ましい。よって、基地局１０−１の通信制御部１４は、まず、端末ＩＤが０２のユーザ端末を被中継端末として選択する。被中継端末として選択された端末ＩＤが０２のユーザ端末は、図２７及び図２８におけるユーザ端末２０−１である。
【０２１４】
一方で、図３０に示すように、基地局１０−２の通信制御部１４は、ＭＭＥ−ＩＤが０２のＭＭＥ（つまり、基地局１０−２に接続されたＭＭＥ４０−２）との通信の可否についての情報を把握している。また、基地局１０−２の通信制御部１４は、端末ＩＤが０６〜１０の各ユーザ端末（つまり、基地局１０−２が接続中のユーザ端末）について、各項目の情報を把握している。
【０２１５】
そこで、基地局１０−２の通信制御部１４は、端末ＩＤが０６〜１０のユーザ端末を選択候補として、図１０に示すフローチャートに従って、中継端末を選択する。以降の処理は実施例３と同様である。但し、実施例５では、基地局１０−２の通信制御部１４は、ＭＭＥ−ＩＤが０２のＭＭＥ（つまり、基地局１０−２に接続されたＭＭＥ４０−２）との通信が不通でない場合に中継端末の選択を行い、ＭＭＥ−ＩＤが０２のＭＭＥとの通信が不通である場合には、中継端末の選択を行わない。
【０２１６】
以上のように、実施例５では、基地局１０−１とＭＭＥ４０−１との間の通信が不通であるときに、基地局１０−２が、ユーザ端末２０−１宛てのデータＤ１をＭＭＥ４０−２から受信してユーザ端末２０−２へ送信し、ユーザ端末２０−２が、データＤ１を中継してユーザ端末２０−１へ送信する。
【０２１７】
こうすることで、ユーザ端末２０−１は、基地局１０−１とＭＭＥ４０−１との間の通信が不通になっても、データＤ１の受信を継続することができる。
【０２１８】
［実施例６］
実施例５では、中継端末の選択を基地局が行った。これに対し、実施例６では、中継端末の選択を被中継端末が行う場合について説明する。以下、実施例５との相違点について説明する。
【０２１９】
＜通信システムの構成＞
通信システムの構成は、実施例５（図２７及び図２８）と同一であるため説明を省略する。
【０２２０】
＜基地局の構成＞
基地局の構成は、実施例１（図４）と同一であるため説明を省略する。
【０２２１】
＜ユーザ端末の構成＞
Ｄ２Ｄ端末の構成は、実施例１（図５）と同一であるため説明を省略する。
【０２２２】
＜通信システムの処理シーケンス＞
図３１は、実施例６の通信システムの処理シーケンスの一例を示す図である。図３１において、実施例５（図２９）と同一の処理を行うステップには同一の符号を付し、説明を省略する。
【０２２３】
ステップＳ８０１では、基地局１０−１の通信制御部１４は、報知情報をユーザ端末２０−１へ送信する。基地局１０−１からユーザ端末２０−１へ送信される報知情報には、基地局１０−１でマージ後の基地局情報（つまり、図３０に示す全項目の情報）が含まれる。例えば、ステップＳ８０１における報知情報では、図３０において、ＭＭＥ−ＩＤが０１，０２の双方に対応する「ＭＭＥ通信」の項目がすべて「可」であるとする。
【０２２４】
ステップＳ７０３では、基地局１０−１の通信制御部１４が、基地局１０−１とＭＭＥ４０−１との間の通信が不通であるか否かを判断する。基地局１０−１とＭＭＥ４０−１との間の通信が不通でない場合は（ステップＳ７０３：Ｎｏ）、処理はステップＳ６０３に戻る。
【０２２５】
一方、基地局１０−１とＭＭＥ４０−１との間の通信が不通である場合は（ステップＳ７０３：Ｙｅｓ）、基地局１０−１の通信制御部１４が、Ｄ２Ｄ要求を基地局１０−２へ送信する（ステップＳ８０３）。ステップＳ８０３におけるＤ２Ｄ要求には、基地局１０−１とＭＭＥ４０−１との間の通信が不通であることを通知する情報が含まれる。
【０２２６】
また、基地局１０−１とＭＭＥ４０−１との間の通信が不通である場合は（ステップＳ７０３：Ｙｅｓ）、基地局１０−１の通信制御部１４が、基地局情報を更新する。すなわち、通信制御部１４は、図３０において、ＭＭＥ−ＩＤが０１，０２のうち０１に対応する「ＭＭＥ通信」の項目を「可」から「否」に更新する。そして、通信制御部１４は、報知情報をユーザ端末２０−１へ送信する（ステップＳ８０５）。ステップＳ８０５における報知情報には、更新後の基地局情報が含まれる。
【０２２７】
ステップＳ８０５で報知情報を受信したユーザ端末２０−１の通信制御部２３は、その報知情報に含まれる基地局情報により、ユーザ端末２０−１が位置するセルＣ１を形成する基地局１０−１とＭＭＥ４０−１との間の通信が不通であることを認識する。そこで、ユーザ端末２０−１の通信制御部２３は、自端末を被中継端末に決定するとともに、自端末へデータＤ１を中継送信する中継端末を選択する（ステップＳ８０７）。ここでの中継端末の選択は、実施例５と同様に、基地局１０−２（つまり、基地局ＩＤが０２の基地局）に接続中のユーザ端末（つまり、端末ＩＤが０６〜１０のユーザ端末）を選択候補として、図１０に示すフローチャートに従って行われる。ここでは、ユーザ端末２０−２が中継端末として選択されたものとする。
【０２２８】
ステップＳ８０９では、ユーザ端末２０−１の通信制御部２３が、Ｄ２Ｄ信号をユーザ端末２０−２へ送信する。ステップＳ８０９におけるＤ２Ｄ信号には、被中継端末の端末ＩＤ（つまり、ユーザ端末２０−１の端末ＩＤ）が含まれる。
【０２２９】
ステップＳ８１１では、ユーザ端末２０−１の通信制御部２３が、Ｄ２Ｄ応答を基地局１０−１へ送信する。ステップＳ８１１におけるＤ２Ｄ応答には、中継端末の端末ＩＤ（つまり、ユーザ端末２０−２の端末ＩＤ）が含まれる。
【０２３０】
ステップＳ８１３では、ステップＳ８０７で選択された中継端末の端末ＩＤと、ステップＳ８０９におけるＤ２Ｄ信号に含まれる端末ＩＤ（つまり、被中継端末の端末ＩＤ）とに従って、ユーザ端末２０−２とユーザ端末２０−１との間でのＤ２Ｄ通信が確立する。これにより、中継端末であるユーザ端末２０−２と、被中継端末であるユーザ端末２０−１との間のＤ２Ｄ通信が開始される。
【０２３１】
以上のように、実施例６では、中継端末の選択を被中継端末であるユーザ端末２０−１が行う。こうすることでも、実施例５と同様に、ユーザ端末２０−１は、基地局１０−１とＭＭＥ４０−１との間の通信が不通になっても、データＤ１の受信を継続することができる。
【０２３２】
なお、実施例６では、基地局１０−１からユーザ端末２０−１へ送信される報知情報には図３０に示すような基地局情報が含まれる。また、この基地局情報には、中継端末候補の位置情報が含まれる。そこで、被中継端末であるユーザ端末２０−１は、何れの中継端末候補ともＤ２Ｄ通信が困難な距離にある場合は、何れかの中継端末候補とＤ２Ｄ通信が可能な距離までユーザ端末２０−１のユーザを誘導しても良い。
【０２３３】
［他の実施例］
［１］基地局１０は、次のようなハードウェア構成により実現することができる。図３２は、基地局のハードウェア構成例を示す図である。図３２に示すように、基地局１０は、ハードウェアの構成要素として、プロセッサ１０ａと、メモリ１０ｂと、無線通信モジュール１０ｃと、ネットワークインタフェースモジュール１０ｄとを有する。プロセッサ１０ａの一例として、ＣＰＵ（Central  Processing  Unit），ＤＳＰ（Digital  Signal  Processor），ＦＰＧＡ（Field  Programmable  Gate  Array）等が挙げられる。また、基地局１０は、プロセッサ１０ａと周辺回路とを含むＬＳＩ（Large  Scale  Integrated  circuit）を有してもよい。メモリ１０ｂの一例として、ＳＤＲＡＭ等のＲＡＭ，ＲＯＭ，フラッシュメモリ等が挙げられる。
【０２３４】
アンテナ１１と、無線通信部１２とは、無線通信モジュール１０ｃにより実現される。ＢＢ処理部１３と、通信制御部１４と、監視部１５とは、プロセッサ１０ａにより実現される。情報記憶部１６は、メモリ１０ｂにより実現される。ネットワークインタフェース部１７は、ネットワークインタフェースモジュール１０ｄにより実現される。
【０２３５】
［２］ユーザ端末２０は、次のようなハードウェア構成により実現することができる。図３３は、ユーザ端末のハードウェア構成例を示す図である。図３３に示すように、ユーザ端末２０は、ハードウェアの構成要素として、プロセッサ２０ａと、メモリ２０ｂと、無線通信モジュール２０ｃとを有する。プロセッサ２０ａの一例として、ＣＰＵ，ＤＳＰ，ＦＰＧＡ等が挙げられる。また、ユーザ端末２０は、プロセッサ２０ａと周辺回路とを含むＬＳＩを有してもよい。メモリ２０ｂの一例として、ＳＤＲＡＭ等のＲＡＭ，ＲＯＭ，フラッシュメモリ等が挙げられる。
【０２３６】
アンテナ２１１，２２１と、無線通信部２１２，２２２とは、無線通信モジュール２０ｃにより実現される。ＢＢ処理部２１３，２２３と、通信制御部２３とは、プロセッサ２０ａにより実現される。
【符号の説明】
【０２３７】
１，２，３  通信システム
１０−１，１０−２  基地局
２０−１〜２０−５，３０−１，３０−２  ユーザ端末
４０−１，４０−２  ＭＭＥ
１４，２３  通信制御部
１５  監視部
１６  情報記憶部
２１  セルラ通信部
２２  Ｄ２Ｄ通信部
【図１】
2016111679.tif 000003
【図２】
2016111679.tif 000004
【図３】
2016111679.tif 000005
【図４】
2016111679.tif 000006
【図５】
2016111679.tif 000007
【図６】
2016111679.tif 000008
【図７】
2016111679.tif 000009
【図８】
2016111679.tif 000010
【図９】
2016111679.tif 000011
【図１０】
2016111679.tif 000012
【図１１】
2016111679.tif 000013
【図１２】
2016111679.tif 000014
【図１３】
2016111679.tif 000015
【図１４】
2016111679.tif 000016
【図１５】
2016111679.tif 000017
【図１６】
2016111679.tif 000018
【図１７】
2016111679.tif 000019
【図１８】
2016111679.tif 000020
【図１９】
2016111679.tif 000021
【図２０】
2016111679.tif 000022
【図２１】
2016111679.tif 000023
【図２２】
2016111679.tif 000024
【図２３】
2016111679.tif 000025
【図２４】
2016111679.tif 000026
【図２５】
2016111679.tif 000027
【図２６】
2016111679.tif 000028
【図２７】
2016111679.tif 000029
【図２８】
2016111679.tif 000030
【図２９】
2016111679.tif 000031
【図３０】
2016111679.tif 000032
【図３１】
2016111679.tif 000033
【図３２】
2016111679.tif 000034
【図３３】
2016111679.tif 000035